(57)【特許請求の範囲】
【請求項１】
（Ａ）重量平均分子量５０００〜５０００００の水溶性加工澱粉及びその誘導体並びに重量平均分子量１００００〜５０００００の水溶性セルロース誘導体からなる群から選ばれる水溶性高分子化合物０．１〜２０重量％、（Ｂ）シリコーン化合物０．５〜５重量％及び（Ｃ）非イオン性界面活性剤０．１〜５重量％を含有する繊維製品処理剤組成物をすすぎ水に溶解させた、（Ａ）の濃度が１０ｐｐｍ〜１０００ｐｐｍである処理浴を用いて、すすぎの段階で繊維製品を処理する方法。
【発明の詳細な説明】
【０００１】
【発明の属する技術分野】
本発明は繊維製品処理剤組成物に関する。
【０００２】
【従来の技術及び発明が解決しようとする課題】
現在、家庭で着用された衣料の洗濯には通常弱アルカリ性重質洗剤が使用されており、また、おしゃれ着等の洗濯には軽質洗剤が使用されている。また、これらの衣料は好みによって、衣料を柔らかく仕上げる柔軟剤や硬く仕上げる糊料が使用されている。
【０００３】
しかしながら衣料の洗浄を繰り返すと、繊維の傷みによる襟や袖口の縮みが生じ、また張りがなくなり見た目や着心地が悪くなる。また、このような衣料を柔軟剤や糊剤で処理を行うと衣料の形がくずれたり、本来の風合いを損なう等の問題があった。
【０００４】
従って、本発明の目的は衣料本来の形状と風合いを回復させる処理剤を提供することである。
【０００５】
【課題を解決するための手段】
本発明は、（Ａ）重量平均分子量５０００〜５０００００の水溶性加工澱粉及びその誘導体並びに重量平均分子量１００００〜５０００００の水溶性セルロース誘導体からなる群から選ばれる水溶性高分子化合物０．１〜２０重量％、（Ｂ）シリコーン化合物０．５〜５重量％及び（Ｃ）非イオン性界面活性剤０．１〜５重量％を含有する繊維製品処理剤組成物に関する。
【０００６】
【発明の実施の形態】
（Ａ）成分の水溶性加工澱粉の重量平均分子量は、５０００〜５０００００、好ましくは１００００〜５０００００である。水溶性加工澱粉としてはヒドロキシエチル化澱粉、ヒドロキシプロピル化澱粉、カルボキシメチル化澱粉、第４級アンモニウム基を有するカチオン化澱粉又はこれらを酸化剤（例えばＨ2Ｏ2、ＮａＣｌＯ等）又は酵素により低粘度化したものが好ましい。この場合において、澱粉に対してヒドロキシエチル基、カルボキシメチル基や４級アンモニウム基等の置換基が導入される割合を示す置換度（澱粉の全水酸基数に対する置換基が導入されている水酸基数の割合）は、保存安定性と風合い付与の点で、好ましくは０．０８〜０．８、より好ましくは０．１〜０．４である。
【０００７】
また、（Ａ）成分の水溶性セルロース誘導体としては、ヒドロキシメチルセルロース、ヒドロキシエチルセルロース、ヒドロキシプロピルセルロース等のヒドロキシアルキルセルロース、メチルセルロース、エチルセルロース等のアルキルセルロース、カルボキシメチルセルロース、４級アンモニウム基を有するカチオン化セルロース等を挙げることができ、重量平均分子量が１００００〜５０００００、好ましくは５００００〜２０００００のものが用いられる。これらの置換度は０．５〜１．５、好ましくは０．６〜１．０である。
【０００８】
これら水溶性高分子化合物（Ａ）の重量平均分子量は、ポリエチレングリコールを標準物質とするゲルパーミエーションクロマトグラフィー法により測定されたものである。
【０００９】
また、本発明において、水溶性高分子化合物とは、８０℃の水１００ｇに対し水溶性高分子化合物１ｇを加えたときにその液が濁らずに澄明になるものをいう。
【００１０】
（Ｂ）成分のシリコーン化合物としては、ジメチルポリシロキサン、メチルフェニルポリシロキサン、メチルハイドロジェンポリシロキサン、アミノ変性シリコーン、アミド変性シリコーン、エポキシ変性シリコーン、カルボキシ変性シリコーン、ポリエーテル変性シリコーン等を挙げることができ、特にジメチルポリシロキサン、アミノ変性シリコーン、ポリエーテル変性シリコーンが良好である。シリコーン化合物の重量平均分子量は１０００〜１００００００、好ましくは２０００〜１０００００である。シリコーン化合物の重量平均分子量は、分子量が既知のジメチルポリシロキサンを基準にゲルパーミエーションクロマトグラフィー法により求めることができる。また、シリコーン化合物は粒子が分散した水性エマルジョンの形態で配合することが好ましく、分散粒子の平均粒径は０．０１〜１０μｍ、特に０．０１〜０．５μｍ、更には０．０５〜０．１μｍが良好である。
【００１１】
（Ｃ）成分の非イオン性界面活性剤としては、ポリオキシアルキレンアルキル又はアルケニルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー等が挙げられる。特にポリオキシエチレンアルキル又はアルケニル（炭素数１０〜２０）エーテル型非イオン性界面活性剤が好ましい。これらはグリフィン法によるＨＬＢが１２〜１８のものが好ましい。特に好ましい（Ｃ）成分としては、下記一般式（Ｉ）の化合物を例示することができる。
Ｒ−(ＯＣ2Ｈ4)n−ＯＨ      （Ｉ）
〔式中、Ｒは炭素数１２〜２０のアルキル基又はアルケニル基、ｎは５〜３０の数であり、ＲとｎはＨＬＢが１２〜１８の範囲になるように調整される。〕
本発明の繊維製品処理剤組成物は、良好な衣料の形態回復効果と風合い付与効果が得られることから、（Ａ）成分を０．１〜２０重量％、好ましくは１〜１５重量％含有する。また、貯蔵安定性と形態回復効果が良好である点で、（Ｂ）成分を０．５〜５重量％、好ましくは０．５〜３重量％、更に（Ｃ）成分を０．１〜５重量％、好ましくは０．３〜３重量％含有する。
【００１２】
本発明の繊維製品処理剤組成物には、通常の柔軟剤や糊剤に使用されている成分を配合しても差し支えない。このような成分としては陽イオン性界面活性剤、陰イオン性界面活性剤、香料、色素、抗菌剤、エチレングリコール、プロピレングリコール等の溶媒、食塩、塩化アンモニウム、塩化カルシウム等の無機塩等が挙げられる。
【００１３】
本発明の繊維製品処理剤組成物は、上記（Ａ）〜（Ｃ）成分及び任意成分を含有し、通常、残部は水である。また、本発明の組成物は、適度な濃度に希釈して使用される。例えば、衣料を通常の洗濯を行い、すすぎの段階ですすぎ水に本発明の組成物を溶解させて処理を行ったり、また、たらいのような容器を用い本発明の組成物を水に溶解させ、更に衣料を入れてを浸漬処理する方法が考えられる。繊維製品の処理は何れの方法で行っても良いが、（Ａ）成分の処理浴中の濃度が１０ｐｐｍ〜１０００ｐｐｍ、特に２０ｐｐｍ〜５００ｐｐｍとなるようにするのが好ましく、浴比（衣料に対する処理液の比率）は１／３〜１／１００、特に１／５〜１／５０が好ましい。
【００１４】
【実施例】
＜繊維製品処理剤組成物の調製＞
表１に示した組成物を調製した。なお、各成分については以下の通りである。
【００１５】
・カチオン化セルロース                                Ａ−１
（置換度１．７〜２．２、重量平均分子量１５００００）
・カチオン化澱粉                                      Ａ−２
（置換度０．２〜０．３、重量平均分子量１０００００）
・酢酸ビニル−メタクリル酸共重合体水分散エマルション  Ａ−３
（有効分４０％、水不溶性高分子）
・シリコーン                                          Ｂ−１
〔東レ・ダウコーニング・シリコーン（株）製、ＳＭ８７０５、平均粒径０．０３〜０．０４μｍ、重量平均分子量８００００〕
・ジタローイルジメチルアンモニウムクロライド          Ｂ−２
・非イオン性界面活性剤                                Ｃ−１
〔ポリオキシエチレン（平均付加モル数２０）アルキル（炭素数１２）エーテル、ＨＬＢ１６．８〕
・プロピレングリコール                                Ｄ−１
なお、Ａ−１及びＡ−２の水への溶解度は、１ｇ／１００ｇ（８０℃）以上であり、澄明性を示した。また、Ａ−３の水への溶解度は、０．０１ｇ／１００ｇ（８０℃）未満であり、エマルションであった。
【００１６】
＜被処理繊維製品の調製＞
青色の木綿１００％のポロシャツを５枚用意し、４枚をナショナル製洗濯機ＮＡ−Ｆ６０Ｅを用い、市販の重質洗剤を用いて２０回繰り返し洗濯処理をした。これら４枚の衣料の襟、袖口は張りがなく、繊維が伸びたような形状がみられ、新品から見るとかなり劣化している。
【００１７】
＜処理方法＞
５Ｌのたらいに水５Ｌを入れ、表１の組成物２０ｇを溶解させた（Ａ−１又はＡ−２濃度４００ｐｐｍ、浴比＝１／３０）。上記の洗濯処理したポロシャツの１枚を１０分間浸漬させ、その後洗濯機で脱水し、陰干しをした。
【００１８】
＜評価基準＞
訓練された評価者により、上記で用いたポロシャツの新品と上記処理を行ったポロシャツの形態を比較し、以下の基準で判定した。結果を表１に併せて示した。
新品と同等の形態にまで回復した；＋２
新品までは回復しないが、満足できるレベルまで回復した；＋１
未処理品と同等であった；０
【００１９】
【表１】
0003862873.tif 000002
【００２０】
【発明の効果】
本発明によれば劣化した衣料の形態を回復させる繊維製品処理剤組成物を提供することができる。